(57)【特許請求の範囲】
【請求項１】
ディジタル画像データをカラーテーブルに記憶されている赤色、緑色及び青色のＲＧＢカラー値に従って変換してカラー表示するカラーテーブル表示装置において、
前記ディジタル画像データの各画素輝度に対する画素個数のヒストグラムと前記カラーテーブルに記憶されている前記ＲＧＢカラー値をグラフ化したカラーテーブルグラフとを合成し、この合成した前記ヒストグラム及び前記カラーテーブルグラフを同一画面上でかつ同一スケールの画素輝度軸上にグラフィック表示するコンピュータ、
を備えたことを特徴とするカラーテーブル表示装置。
【請求項２】
ディジタル画像データをカラーテーブルに記憶されている赤色、緑色及び青色のＲＧＢカラー値に従って変換して表示部の画面上にカラー表示するカラーテーブル表示装置において、
前記ディジタル画像データの各画素輝度に対する画素個数のヒストグラムと前記カラーテーブルに記憶されている前記ＲＧＢカラー値をグラフ化したカラーテーブルグラフとを合成し、前記表示部の画面上にウィンドウを形成し、前記ウィンドウ内に前記合成した前記ヒストグラム及び前記カラーテーブルグラフを同一スケールの画素輝度軸上にグラフィック表示するコンピュータ、
を備えたことを特徴とするカラーテーブル表示装置。
【請求項３】
前記コンピュータは、少なくともＣＰＵと、前記ＣＰＵにバスを介して接続されたメモリとを有し、
前記メモリには、前記ディジタル画像データを記憶する画像メモリ領域と、プログラムを記憶するプログラムメモリ領域と、前記カラーテーブルを記憶するカラーテーブルメモリ領域とが形成され、
前記ＣＰＵは、前記プログラムメモリ領域に格納されている前記プログラムを実行することにより、前記画像メモリ領域に記憶されている前記ディジタル画像データを前記カラーテーブルメモリ領域に記憶されている前記カラーテーブルの前記ＲＧＢカラー値に従って変換して前記表示部にカラー表示し、かつ前記ディジタル画像データの各画素輝度に対する画素個数のヒストグラムと前記カラーテーブルに記憶されている前記ＲＧＢカラー値をグラフ化したカラーテーブルグラフとを合成し、前記表示部の画面上にウィンドウを形成し、前記ウィンドウ内に前記合成した前記ヒストグラム及び前記カラーテーブルグラフを同一スケールの画素輝度軸上にグラフィック表示する、
ことを特徴とする請求項２記載のカラーテーブル表示装置。
【請求項４】
前記カラーテーブルに記憶されている前記ＲＧＢカラー値は、前記ディジタル画像データの画素の輝度に対してレベル変化する、
ことを特徴とする請求項１又は２記載のカラーテーブル表示装置。
【請求項５】
前記コンピュータに接続された操作部を有し、
前記コンピュータは、前記画面上に表示されている前記ヒストグラムにおける所望の画素輝度の部分が前記操作部により指定されると、当該指示された画素輝度の部分に対して前記ＲＧＢカラー値を設定して前記カラーテーブルを作成する、
ことを特徴とする請求項１又は２記載のカラーテーブル表示装置。
【請求項６】
前記コンピュータは、少なくともＣＰＵと、前記ＣＰＵにバスを介して接続された前記表示部及びメモリと、前記コンピュータに接続された操作部を有し、
前記メモリには、前記ディジタル画像データを記憶する画像メモリ領域と、前記ＲＧＢカラー値の設定のプログラムを記憶するプログラムメモリ領域と、前記カラーテーブルを記憶するカラーテーブルメモリ領域とが形成され、
前記ＣＰＵは、前記プログラムメモリ領域に格納されている前記ＲＧＢカラー値の設定の前記プログラムを実行することにより、前記画像メモリ領域に記憶されている前記ディジタル画像データを読み出し、前記ディジタル画像データの画素の輝度とその頻度との関係をグラフ化した前記ヒストグラムを作成し、前記ヒストグラムを横軸に前記輝度、縦軸に前記頻度を取って前記表示部にグラフ表示し、前記操作部により前記ヒストグラムにおける所望の画素輝度の部分が指定されると、前記指定された点から前記輝度軸と平行な方向を捜査して前記ヒストグラムとの各交点を検出し、前記各検出点を結んだ直線から前記ＲＧＢカラー値を設定して前記カラーテーブルを作成する、
ことを特徴とする請求項２記載のカラーテーブル表示装置。
【請求項７】
標本の情報を光電変換し、この光電変換により得られるアナログ画像信号をディジタル変換したディジタル画像データをカラーテーブルに記憶されている赤色、緑色及び青色のＲＧＢカラー値に従って変換してカラー表示するカラーテーブル表示装置を備えた顕微鏡において、
前記ディジタル画像データの各画素輝度に対する画素個数のヒストグラムと前記カラーテーブルに記憶されている前記ＲＧＢカラー値をグラフ化したカラーテーブルグラフとを合成し、この合成した前記ヒストグラム及び前記カラーテーブルグラフを同一画面上でかつ同一スケールの画素輝度軸上にグラフィック表示するコンピュータ、
を備えたことを特徴とする顕微鏡。
【請求項８】
前記カラーテーブルに記憶されている前記ＲＧＢカラー値は、前記標本の種類に応じて変更設定される、
ことを特徴とする請求項７記載の顕微鏡。
【発明の詳細な説明】
【０００１】
【発明の属する技術分野】
本発明は、例えば光学顕微鏡やレーザ走査型顕微鏡のディジタル画像データをカラーテーブルに記憶されているカラー値に従って変換してカラー表示するカラーテーブル表示装置及び顕微鏡に関する。
【０００２】
【従来の技術】
通常、コンピュータ上で扱われるディジタル画像データは、縦横に細分化してその分割した単位すなわち画素にコンピュータのメモリを割り当てて、そのメモリ上の値で輝度を表現している。例えば、ディジタル画像データは、縦７６８ドット、横１０２４ドットの画素に分割される。そして、これら分割された１画素の輝度情報（データ）をコンピュータの記憶単位８Ｂｉｔで記憶すれば、ディジタル画像データは、０〜２５５段階の濃淡で指定ができ、その値に比例させて表示することで、画像を黒から白の濃淡で表示できる。
【０００３】
このようなディジタル画像データに対し、その画素の輝度とその頻度との関係をグラフ化したものがヒストグラムである。このヒストグラムを求めることで、画像が見易い輝度範囲でディジタル化されているかの判定や、画像を２値化するときの閾値の決定、輝度の同じ領域を画像上で同じところと考えてその同一輝度の領域の面積を求めるなどに用いられる。
【０００４】
一方、ディジタル画像データをカラー表示する場合には、カラーテーブルを用いる手法が行われる。このカラーテーブルは、ディジタル画像データの各画素の輝度に対応して、ＲＧＢカラー値（Ｒｅｄ：赤、Ｇｒｅｅｎ：緑、Ｂｌｕｅ：青）の３色を所定の明るさに決定しておき、それぞれの色を混合してディジタル画像データを色付け表示するためのものである。このカラーテーブルは、ＲＧＢの各色ごとに輝度に対するカラー値を取ることでグラフ化することができる。
【０００５】
特開平８−９４６４５号公報には、表示画面上の一部にディジタル画像データのヒストグラムを表示し、このヒストグラムの輝度表示軸方向に輝度変化のグレースケールを表示し、ヒストグラムの所定の範囲をグレースケールのカラー変化に対応させて表示し、ヒストグラムとカラーテーブルとの関係を分かりやすくすることが記載されている。
【０００６】
【発明が解決しようとする課題】
光学顕微鏡やレーザ走査型顕微鏡で得られるディジタル画像データは、このディジタル画像データからヒストグラムを作成すると、そのヒストグラムに偏りが現われるように、特定の明るさの範囲が観察物の特定の領域（観察面）を示すことが主である。
【０００７】
このように特定の領域を区別して表示したい場合などは、カラーテーブルを用いて画素の輝度を特定の色へ変換して表示して他の領域との区別をし易くしているが、ヒストグラムとカラーテーブルのグラフとを個別に表示しているために、ヒストグラムの範囲とカラーテーブルの範囲との関係が視覚的に分かりづらくなっている。
【０００８】
又、走査型顕微鏡では、画像の輝度の解像度を高めるために、入力された各画素のビット長を長くするように装置構成されている。ところが、コンピュータの表示部での表示色の分解能が通常８Ｂｉｔ（０〜２５５）であるのに対し、入力されたディジタル画像データの画素のビット数は１０〜１２Ｂｉｔであり、このようなＢｉｔ数の違いにより、ディジタル画像データ中の適切なＢｉｔ深さをコンピュータの表示部上で表示色を落とさずに、観察したい輝度を得るための設定が困難である。
【０００９】
又、特開平８−９４６４５号公報では、ヒストグラムの特定の範囲をカラースケールで対応させて表示しているが、カラーレベルの連続性が視覚的に分かりずらい。
【００１０】
そこで本発明は、ディジタル画像データのヒストグラムとカラーテーブルとの関係を分かり易くし、容易に所望の輝度範囲の画像を表示できるカラーテーブル表示装置及び顕微鏡を提供することを目的とする。
【００１１】
【課題を解決するための手段】
本発明は、ディジタル画像データをカラーテーブルに記憶されている赤色、緑色及び青色のＲＧＢカラー値に従って変換してカラー表示するカラーテーブル表示装置において、ディジタル画像データの各画素輝度に対する画素個数のヒストグラムとカラーテーブルに記憶されているＲＧＢカラー値をグラフ化したカラーテーブルグラフとを合成し、この合成したヒストグラム及びカラーテーブルグラフを同一画面上でかつ同一スケールの画素輝度軸上にグラフィック表示するコンピュータを備えたカラーテーブル表示装置である。
【００１２】
本発明は、ディジタル画像データをカラーテーブルに記憶されている赤色、緑色及び青色のＲＧＢカラー値に従って変換して表示部の画面上にカラー表示するカラーテーブル表示装置において、ディジタル画像データの各画素輝度に対する画素個数のヒストグラムとカラーテーブルに記憶されているＲＧＢカラー値をグラフ化したカラーテーブルグラフとを合成し、表示部の画面上にウィンドウを形成し、ウィンドウ内に合成したヒストグラム及びカラーテーブルグラフを同一スケールの画素輝度軸上にグラフィック表示するコンピュータを備えたカラーテーブル表示装置である。
本発明は、標本の情報を光電変換し、この光電変換により得られるアナログ画像信号をディジタル変換したディジタル画像データをカラーテーブルに記憶されている赤色、緑色及び青色のＲＧＢカラー値に従って変換してカラー表示するカラーテーブル表示装置を備えた顕微鏡において、ディジタル画像データの各画素輝度に対する画素個数のヒストグラムとカラーテーブルに記憶されているＲＧＢカラー値をグラフ化したカラーテーブルグラフとを合成し、この合成したヒストグラム及びカラーテーブルグラフを同一画面上でかつ同一スケールの画素輝度軸上にグラフィック表示するコンピュータを備えた顕微鏡である。
【００１３】
【発明の実施の形態】
（１）  以下、本発明の第１の実施の形態について図面を参照して説明する。
【００１４】
図１はカラーテーブル表示装置の構成図である。
【００１５】
顕微鏡部１は、一般的な光学顕微鏡を使用する場合、この光学顕微鏡に取り付けられるＣＣＤカメラ等からアナログ画像信号を出力するものとなっている。又、レーザ走査型顕微鏡を使用する場合、顕微鏡部１は、レーザ光を走査して得られる標本の情報を受光素子で光電変換し、これにより得られるアナログ画像信号を出力するものとなっている。この顕微鏡部１から出力されるアナログ画像信号は、コンピュータ内のＡ／Ｄ（アナログ／ディジタル）変換器２に送られるようになっている。
【００１６】
コンピュータ内のＣＰＵ３には、バス４を介してＡ／Ｄ変換器２、メモリ５、表示部６及び操作部７が接続されている。メモリ５内には、画像メモリ領域８、プログラムメモリ領域９及びカラーテーブルメモリ領域１０が形成されている。
【００１７】
カラーテーブルメモリ領域１０には、図２に示すようなカラーテーブル１１が記憶されている。このカラーテーブル１１は、ディジタル画像データの画素の輝度（入力輝度）に対するＲＧＢカラー値（出力カラー）が記憶されている。これら輝度に対するＲＧＢカラー値は、例えば顕微鏡で観察される標本の種類に応じて変更設定される。
【００１８】
ＣＰＵ３は、プログラムメモリ領域９に格納されているプログラムを実行することにより、Ａ／Ｄ変換器２で変換されたディジタル画像データを取り込んで画像メモリ領域８に記憶し、このディジタル画像データをカラーテーブルメモリ領域１０に記憶されているカラーテーブルのカラー値に従って変換してディジタル画像データを表示部６にカラー表示する機能を有するものとなる。
【００１９】
又、ＣＰＵ３は、ディジタル画像データをカラー表示するに際し、ディジタル画像データの各画素輝度に対する画素個数のヒストグラムを作成すると共に、カラーテーブルに記憶されているカラー値をグラフ化し、これらヒストグラムとカラーグラフとを同一スケールの画素輝度軸上にグラフィック表示する機能を有するものとなる。
【００２０】
従って、ＣＰＵ３は、通常通りディジタル画像データをカラーテーブルのカラー値に従って変換してディジタル画像データをカラー表示するカラー表示機能を有するとともに、ディジタル画像データの各画素輝度に対する画素個数のヒストグラムを作成するヒストグラム作成機能と、カラーテーブルに記憶されているカラー値をグラフ化するカラーテーブルグラフィック機能と、ヒストグラムとカラーテーブルグラフとを同一スケールすなわち横軸にとる輝度値を同一目盛りとする画素輝度軸上にグラフィック表示するグラフィック表示機能とを有するものとなる。
【００２１】
表示部６は、一般的なカラーテレビジョンモニタであり、ディジタル画像データをカラー表示したり、ＣＰＵ３の演算処理により作成されたディジタル画像データのヒストグラムとカラーテーブルグラフとを同一画面上にグラフィック表示するものとなっている。
【００２２】
操作部７は、例えばキーボードやマウスである。
【００２３】
次に上記の如く構成された装置の作用について図３に示すカラーテーブル表示フローチャートに従って説明する。
【００２４】
顕微鏡部１は、一般的な光学顕微鏡であれば、この光学顕微鏡に取り付けられたＣＣＤカメラ等からアナログ画像信号を出力するものとなっている。又、レーザ走査型顕微鏡であれば、顕微鏡部１は、レーザ光を走査して得られる標本の情報を受光素子で光電変換し、これにより得られるアナログ画像信号を出力する。
【００２５】
この顕微鏡部１から出力されるアナログ画像信号は、コンピュータ内のＡ／Ｄ変換器２に送られる。
【００２６】
このＡ／Ｄ変換器２は、ステップ＃１において、顕微鏡部１からのアナログ画像信号を入力し、このアナログ画像信号をＡ／Ｄ変換する。続いてＣＰＵ３は、ステップ＃２において、Ａ／Ｄ変換されたディジタル画像データを取り込んで画像メモリ領域８に記憶する。
【００２７】
図４は画像メモリ領域８に記憶されるディジタル画像データの模式図であって、このディジタル画像データは、縦横が各画素に分割され、その各画素ごとに明るさ情報を持っている。
【００２８】
例えば、ディジタル画像データを縦７６８ドット、横１０２４ドットの画素に分割してその１画素（Ｘｍ，Ｙｎ）の輝度情報をコンピュータの記憶単位１Ｂｉｔで記憶すれば、ディジタル画像データは、０〜２５５段階の濃淡で指定ができ、その段階の濃淡に比例させて明るさ表示することで、画像を黒から白の濃淡画像として表示できる。
【００２９】
次にＣＰＵ３は、ステップ＃３において、画像メモリ領域８に記憶されるディジタル画像データを読み出し、このディジタル画像データの画素の輝度とその頻度との関係をグラフ化したヒストグラムを作成する。
【００３０】
図５はかかるヒストグラムを示す。このヒストグラムは、例えば図４に示すディジタル画像データの各画素の輝度（０〜２５５段階）を横軸に、その輝度の画素の個数（頻度）を縦軸にグラフ表示したもので、その画素数の合計は１０２４×７６８個になり、ここでは２つの頻度のピークが現れている。
【００３１】
このようなヒストグラムを作成することで、画像が見やすい範囲でディジタル化されているかの判定や、画像を２値化するときの閾値の決定、輝度の同じ領域を画像上で同じところと考えてその同一輝度の領域の面積を求めるなどに用いられる。
【００３２】
このヒストグラムは、ＣＰＵ３によって画像メモリ領域８に一時的に記憶される。
【００３３】
次にＣＰＵ３は、ステップ＃４において、カラーテーブル１１の設定を行う。このカラーテーブル１１は、図２に示すようにディジタル画像データの画素の入力輝度に対する出力カラーを記憶したものであり、これら輝度に対するＲＧＢカラー値は、例えば顕微鏡で観察される標本の種類に応じて変更設定される。このカラーテーブル１１は、標本の種類が変更されれば、その標本に応じた各ＲＧＢカラー値に変更設定される。
【００３４】
このうち標本に応じた各ＲＧＢカラー値の変更設定は、表示部６に表示されているヒストグラムに応じて、操作部７からの操作入力によって行われる。
【００３５】
次にＣＰＵ３は、ステップ＃５において、ディジタル画像データをカラーテーブル１１を用いてカラー表示する。図２に示すように入力画像の１画素（Ｘｍ，Ｙｎ）の輝度が例えば「１２３」であるとすれば、この輝度「１２３」は、カラーテーブル１１の入力輝度に対応する３色のＲＧＢカラー値、それぞれＲ（赤）＝１２８、Ｇ（緑）＝６０、Ｂ（青）＝７０に変換される。
【００３６】
従って、ＣＰＵ３は、これらカラー値を白黒の濃淡画像であるディジタル画像データの表示画像に配色することによつて表示部６の画面上にカラー表示する。
【００３７】
次にＣＰＵ３は、ステップ＃６において、カラーテーブル１１に記憶されているＲＧＢカラー値をグラフィック化する。図６はかかるカラーテーブル１１に記憶されているＲＧＢカラー値をグラフィック化したカラーテーブルグラフであって、カラーテーブル１１の入力輝度に対するＲＧＢカラー値をグラフ化したものである。このようにグラフ化することで、入力輝度に対するＲＧＢカラー値のレベル変化を容易に確認できるものとなる。
【００３８】
このカラーテーブルグラフは、ＣＰＵ３によって画像メモリ領域８に一時的に記憶される。
【００３９】
次にＣＰＵ３は、ステップ＃７において、画像メモリ領域８に一時的に記憶されているヒストグラムとカラーテーブルグラフとを読み出し、これらヒストグラムとカラーテーブルグラフとを合成し、ディジタル画像データをカラー表示している表示部６の画面上にウィンドウを形成し、このウィンドウ内に図７に示すようにグラフィック表示する。
【００４０】
この場合、ヒストグラムとカラーテーブルグラフとは、横軸にとる輝度値を同一目盛りにして表示部６の画面上に同時にグラフィック表示する。すなわち、図７に示すグラフィック表示は、図５に示すヒストグラムの輝度（横軸）と図６に示すカラーテーブルグラフの輝度（横軸）との目盛りを同一にし、縦軸をカラー値及び画素の頻度としている。
【００４１】
このグラフィック表示から、例えば図７に示すようにカラー値のＲ（赤）をヒストグラムの２つのピークの間（谷の部分）で大きく変化させるような設定をすることで、２つのヒストグラムのピークの色分けを分かりやすく表示することができる。つまり、ヒストグラムのピークは、観察される標本の特徴を示すので、その特徴ごとの色分けすることが可能となる。本実施の形態では、目立つＲ（赤）を強調させたが、Ｇ（緑）、Ｂ（青）でも同様に行うことができる。
【００４２】
しかるに、ヒストグラムとカラーテーブルグラフとのグラフィック表示を観察することによってオペレータの操作によりカラーテーブル１１のＲＧＢカラー値が任意に変更設定される。この場合、ＣＰＵ３は、再びステップ＃４に戻って、例えば顕微鏡で観察される標本の種類に応じて変更設定する。
【００４３】
ここで、走査型顕微鏡で入力される画素の輝度のビット数が８Ｂｉｔ以上のときについて説明する。
【００４４】
例えば、走査型顕微鏡で入力される画素の輝度のビット数が１２Ｂｉｔとすると、画素の輝度は０〜４０９５段階となる。通常、表示装置の輝度の分解能は、８Ｂｉｔ程度と言われており、この走査型顕微鏡で入力された画像情報を全て表示しても、階調の抜け等が発生する。
【００４５】
又、高さ画像として入力することができる走査型レーザ顕微鏡の場合は、段差のある標本を用いたときにヒストグラムに段差の数に応じて複数個のヒストグラムのピークが発生する。このとき、頻度分布の低い部分の山は、標本の底面部を表し、頻度分布の高い山は、サンプルの上面部を表す。
【００４６】
このうち標本の上面部の画像のみを表示し、上面部の形状を詳細にしかも解像度を落とさずに観察するためには、図７に示すカラーテーブルの画素輝度軸が８Ｂｉｔ（０〜２５５）とすると、走査型顕微鏡で入力される画素輝度の１２Ｂｉｔ（０〜４０９５）の上位８Ｂｉｔを画素輝度軸の８Ｂｉｔに対応させ、図７に示すカラーテーブルにてカラーを設定することで、上面部の画像を表示させる表示部６の解像度を落とさずに表現できる。
【００４７】
このように上記第１の実施の形態においては、ディジタル画像データの各画素輝度に対する画素個数のヒストグラムとカラーテーブル１１に記憶されているカラー値をグラフ化したカラーグラフとを表示部６にグラフィック表示するようにしたので、ヒストグラムとカラーテーブルとの関係が分かり易く、すなわちヒストグラムとカラー値との変化開始位置、変化量が視覚的に比較しやすくなり、容易に所望の輝度範囲の画像を表示できる、すなわちヒストグラムの偏り等でディジタル画像データに特徴ある領域に容易にカラー値の設定ができる。
【００４８】
（２）  次に、本発明の第２の実施の形態について説明する。なお、図１と同一部分には同一符号を付してその詳しい説明は省略する。
【００４９】
この実施の形態のカラーテーブル表示装置のハードウェアの構成は、図１に示すカラーテーブル表示装置と同一であり、その相違するところは、上記第１の実施の形態におけるカラーテーブル１１のＲＧＢカラー値の設定の方法を変えたところにある。
【００５０】
このＲＧＢカラー値の設定は、ディジタル画像データの各画素輝度に対する画素個数のヒストグラムにおける所望の画素輝度の部分を操作部７のマウス等を用いて指定すると、この指示された画素輝度の部分に対してＲＧＢカラー値を設定してカラーテーブル１１を作成するものとなっている。
【００５１】
従って、プログラムメモリ領域９には、かかるＲＧＢカラー値の設定のプログラムが格納されており、ＣＰＵ３がかかるプログラムを実行することによりマウス等を用いてカラーテーブル１１の設定が行われるようになっている。
【００５２】
次に上記の如くカラーテーブル１１のＲＧＢカラー値の設定機能を備えた装置の作用について図３に示すカラーテーブル表示フローチャートに従って説明する。
【００５３】
上記第１の実施の形態と同様に、ステップ＃１、＃２において、顕微鏡部１からのアナログ画像信号が入力され、続いてＡ／Ｄ変換が行われ、このディジタル画像データが画像メモリ領域８に記憶される。
【００５４】
次にＣＰＵ３は、ステップ＃３において、画像メモリ領域８に記憶されたディジタル画像データを読み出し、このディジタル画像データの画素の輝度とその頻度との関係をグラフ化して図８に示すようなヒストグラムを作成する。
【００５５】
このヒストグラムは、例えばディジタル画像データの画素の輝度（０〜２５５段階）を横軸に、その輝度の画素の個数（頻度）を縦軸にグラフ表示したもので、ここでは３つの頻度のピークが現れている。このヒストグラムは、ＣＰＵ３によって表示部６の画面上にウィンドウ表示されるとともに、画像メモリ領域８に一時的に記憶される。
【００５６】
次にＣＰＵ３は、ステップ＃４において、カラーテーブル１１の設定を行う。このカラーテーブル１１の設定は、オペレータによる操作部７すなわちキーボードやマウスの操作によってウィンドウ表示されているヒストグラム上にポインタを表示し、このポインタによって例えば点Ｐを指示する。この点Ｐの指示を受けてＣＰＵ３は、自動的に輝度軸と平行な方向を捜査してヒストグラムとの交点Ｐ１、Ｐ２を検出し、これら検出点Ｐ１、Ｐ２を結んだ直線Ｐ１−Ｐ２を例えばカラー値としてカラーテーブルグラフＲ（赤）を作成する。このカラー値に設定した輝度の範囲は、検出点Ｐ１、Ｐ２の位置とする。
【００５７】
そして、範囲Ｐ１−Ｐ２のカラーテーブルＲ（赤）は、ＣＰＵ３によつてヒストグラムとともに表示部６に表示される。
【００５８】
同様に、カラーＧ（緑）、Ｂ（青）についてもヒストクラム上の指定したい位置をキーボードやマウスの操作によって指定することで、その輝度の範囲が設定され、カラーテーブルグラフＧ（緑）、Ｂ（青）が作成される。そして、カラーＧ、ＢのカラーテーブルグラフもＣＰＵ３によつてヒストグラムとともに表示部６に表示される。
【００５９】
次にＣＰＵ３は、ステップ＃５において、カラーテーブルＲＧＢカラー値を白黒の濃淡画像であるディジタル画像データの表示画像に配色することによつて表示部６の画面上にカラー表示する。
【００６０】
このように上記第２の実施の形態においては、ディジタル画像データの各画素輝度に対する画素個数のヒストグラムにおける所望の画素輝度の部分を操作部７のマウス等を用いて指定すると、この指示された画素輝度の部分に対してカラーテーブルグラフＲＧＢを作成するので、上記第１の実施の形態と同様な効果を奏することは言うまでもなく、ヒストグラムから特徴部分の範囲を色付けして抽出したい部分をグラフック表示の１点を指示するだけで容易に決定でき、そのカラー値をヒストグラムと同時にグラフック表示できる。
【００６１】
【発明の効果】
以上詳記したように本発明によれば、ヒストグラムとＲＧＢカラー値との変化開始位置、変化量が視覚的に比較しやすくなってヒストグラムとカラーテーブルとの関係が分かり易くなり、ヒストグラムの偏り等でディジタル画像データに特徴ある領域にＲＧＢカラー値の設定ができて容易に所望の輝度範囲の画像を表示できるカラーテーブル表示装置及びこれを用いた顕微鏡を提供できる。
【図面の簡単な説明】
【図１】本発明に係わるカラーテーブル表示装置の第１の実施の形態を示す構成図。
【図２】同装置によりディジタル画像データをカラー表示するときのカラーテーブルによる変換作用を示す模式図。
【図３】カラーテーブル表示フローチャート。
【図４】画像メモリ領域に記憶されるディジタル画像データの模式図。
【図５】ディジタル画像データから作成したヒストグラムを示す図。
【図６】カラーテーブルのＲＧＢカラー値をグラフィック化したカラーテーブルグラフを示す図。
【図７】ヒストグラムとカラーテーブルグラフとを同時に行ったグラフィック表示を示す図。
【図８】本発明に係わるカラーテーブル表示装置の第２の実施の形態におけるカラーテーブルの設定作用を説明するための図。
【図９】カラーテーブル表示フローチャート。
【符号の説明】
１：顕微鏡部、
２：Ａ／Ｄ（アナログ／ディジタル）変換器、
３：ＣＰＵ、
４：バス、
５：メモリ、
６：表示部、
７：操作部、
８：画像メモリ領域、
９：プログラムメモリ領域、
１０：カラーテーブルメモリ領域、
１１：カラーテーブル。
【図１】
0003600066.tif 000002
【図２】
0003600066.tif 000003
【図３】
0003600066.tif 000004
【図４】
0003600066.tif 000005
【図５】
0003600066.tif 000006
【図６】
0003600066.tif 000007
【図７】
0003600066.tif 000008
【図８】
0003600066.tif 000009
【図９】
0003600066.tif 000010